(57)【要約】      （修正有）【課題】ウェルの小容量化に対応しやすく、かつ１つのマルチウェルプレートから別のマルチウェルプレートに試料を容易に移送できるようにする。【解決手段】試料の蛍光測定に用いるための複数のウェル１５を備えた蛍光測定用マルチウェルプレート１であって、複数のウェル１５に対応する複数の貫通孔１６をプレートの厚さ方向に沿って備える多穴プレート１０と、多穴プレート１０における貫通孔１６の一方の開口面側を閉鎖する透明なフィルム２０とを備え、多穴プレート１０は、遮光性フィラー６をゴム状弾性体５中に分散して成り、フィルム２０と多穴プレート１０とは透明な粘着層３０を介して固定されている蛍光測定用マルチウェルプレート１およびマルチウェルプレートセット、ならびに蛍光測定用マルチウェルプレートの製造方法。【選択図】図１
2018141693.tif 000002
【特許請求の範囲】
【請求項１】
試料の蛍光測定に用いるための複数のウェルを備えた蛍光測定用マルチウェルプレートであって、
前記複数のウェルに対応する複数の貫通孔をプレートの厚さ方向に沿って備える多穴プレートと、
前記多穴プレートにおける前記貫通孔の一方の開口面側を閉鎖する透明なフィルムと、
を備え、
前記多穴プレートは、遮光性フィラーをゴム状弾性体中に分散して成り、
前記フィルムと前記多穴プレートとは透明な粘着層を介して固定されている蛍光測定用マルチウェルプレート。
【請求項２】
前記粘着層は、前記フィルムの片面にあって、前記ウェルの底部に露出している請求項１に記載の蛍光測定用マルチウェルプレート。
【請求項３】
前記ゴム状弾性体は、シリコーンゴムである請求項１または２に記載の蛍光測定用マルチウェルプレート。
【請求項４】
前記フィルムは、シクロオレフィンポリマーのフィルムである請求項１から３のいずれか１項に記載の蛍光測定用マルチウェルプレート。
【請求項５】
前記粘着層の材料は、硬化性シリコーン組成物を主とする材料である請求項１から４のいずれか１項に記載の蛍光測定用マルチウェルプレート。
【請求項６】
前記遮光性フィラーは、黒色のフィラーである請求項１から５のいずれか１項に記載の蛍光測定用マルチウェルプレート。
【請求項７】
請求項１から６のいずれか１項に記載の蛍光測定用マルチウェルプレートを２つ有し、互いのウェルの開口部を向かい合わせることのできるマルチウェルプレートセット。
【請求項８】
請求項１から６のいずれか１項に記載の蛍光測定用マルチウェルプレートを製造する方法であって、
遮光性フィラーをゴム状弾性体中に分散して成り、複数のウェルに対応する複数の貫通孔をプレートの厚さ方向に沿って備える多穴プレートを作製する多穴プレート作製工程と、
前記多穴プレートにおける前記貫通孔の一方の開口面側を閉鎖する透明なフィルムの片面に粘着剤を塗布する粘着剤塗布工程と、
前記粘着剤の上から前記多穴プレートを圧接せしめて、前記フィルムと前記多穴プレートとを透明な粘着層を介して固定する固定工程と、
を含む蛍光測定用マルチウェルプレートの製造方法。
【請求項９】
前記粘着剤は、硬化性シリコーン組成物を主とする粘着剤である請求項８に記載の蛍光測定用マルチウェルプレートの製造方法。
【発明の詳細な説明】
【技術分野】
【０００１】
本発明は、多数のサンプルを蛍光測定するための蛍光測定用マルチウェルプレート、およびそれをペアで組み合わせて使用可能なマルチウェルプレートセット、ならびに蛍光測定用マルチウェルプレートの製造方法に関する。
【背景技術】
【０００２】
従来から、創薬プロセスの初期スクリーニングを代表する手法として、マルチウェルプレートを用いた多数サンプルの同時蛍光測定が知られている。従来のマルチウェルプレートは、各ウェルの容量が大きく、試料の分取操作を手動式あるいは自動式の多連ピペット等を用いて行うのには適したものである。しかし、試料の少量化、測定の効率化が益々進むなか、最近では、より微小容量のウェルを多数配列させたマルチウェルプレート（Ｍｕｌｔｉ  Ｍｉｃｒｏ  Ｖｅｓｓｅｌ：  ＭＭＶ）も開発されている。
【０００３】
ところで、第１のＭＭＶのウェル内に充填された試料を第２のＭＭＶに一度に移送することによって、第１のＭＭＶの分取操作を簡便にかつ短時間で行う方法が知られている。より具体的には、第１のＭＭＶのウェルの開口側と、第２のＭＭＶのウェルの開口側とを向かい合わせ、その間に隔離シート（流通孔付き）を挟み、第１のＭＭＶから第２のＭＭＶの方向に遠心力を及ぼしめ、第１のＭＭＶのウェル内の試料を、隔離シートの流通孔を通じて第２のＭＭＶのウェル内に移送する（特許文献１を参照）。かかる方法によれば、多数の試料を入れたＭＭＶから別のＭＭＶへと一挙に移送でき、かつ移送時に液漏れが生じ難い。
【先行技術文献】
【特許文献】
【０００４】
【特許文献１】特開２０１３−１９５３７０号公報
【発明の概要】
【発明が解決しようとする課題】
【０００５】
上記従来のＭＭＶとしては、熱可塑性樹脂によって構成され、隣り合うウェル間の漏光を防止するため、当該樹脂中に黒色のフィラーを分散させたものが多い。しかし、熱可塑性樹脂では、ウェルの小容量化に対応することが難しくなってきている。また、ユーザの中には、２つのＭＭＶ間で試料を一挙に移送操作する際に、隔離シートを用いない方法を望む声もある。
【０００６】
本発明は、上記状況に鑑みてなされたものであり、ウェルの小容量化に対応しやすく、かつ１つのマルチウェルプレートから別のマルチウェルプレートに試料を容易に移送できるようにすることを目的とする。
【課題を解決するための手段】
【０００７】
（１）上記目的を達成するための一実施形態に係る蛍光測定用マルチウェルプレートは、試料の蛍光測定に用いるための複数のウェルを備えた蛍光測定用マルチウェルプレートであって、複数のウェルに対応する複数の貫通孔をプレートの厚さ方向に沿って備える多穴プレートと、多穴プレートにおける貫通孔の一方の開口面側を閉鎖する透明なフィルムとを備え、多穴プレートは遮光性フィラーをゴム状弾性体中に分散して成り、フィルムと多穴プレートとは透明な粘着層を介して固定されている。
【０００８】
（２）別の実施形態に係る蛍光測定用マルチウェルプレートでは、さらに、粘着層は、フィルムの片面にあって、ウェルの底部に露出していても良い。
【０００９】
（３）別の実施形態に係る蛍光測定用マルチウェルプレートでは、また、ゴム状弾性体はシリコーンゴムであっても良い。
【００１０】
（４）別の実施形態に係る蛍光測定用マルチウェルプレートでは、また、フィルムは、シクロオレフィンポリマーのフィルムであっても良い。
【００１１】
（５）別の実施形態に係る蛍光測定用マルチウェルプレートでは、また、粘着層の材料は硬化性シリコーン組成物を主とする材料であっても良い。
【００１２】
（６）別の実施形態に係る蛍光測定用マルチウェルプレートでは、また、遮光性フィラーは、黒色のフィラーであっても良い。
【００１３】
（７）一実施形態に係るマルチウェルプレートセットは、上述のいずれかの蛍光測定用マルチウェルプレートを２つ有し、互いのウェルの開口部を向かい合わせることのできるマルチウェルプレートセットである。
【００１４】
（８）一実施形態に係る蛍光測定用マルチウェルプレートの製造方法は、上述のいずれかの蛍光測定用マルチウェルプレートを製造する方法であって、遮光性フィラーをゴム状弾性体中に分散して成り、複数のウェルに対応する複数の貫通孔をプレートの厚さ方向に沿って備える多穴プレートを作製する多穴プレート作製工程と、多穴プレートにおける貫通孔の一方の開口面側を閉鎖する透明なフィルムの片面に粘着剤を塗布する粘着剤塗布工程と、粘着剤の上から多穴プレートを圧接せしめて、フィルムと多穴プレートとを透明な粘着層を介して固定する固定工程と、を含む。
【００１５】
（９）別の実施形態に係る蛍光測定用マルチウェルプレートの製造方法では、さらに、粘着剤は硬化性シリコーン組成物を主とする粘着剤であっても良い。
【発明の効果】
【００１６】
本発明によれば、ウェルの小容量化に対応しやすく、かつ１つのマルチウェルプレートから別のマルチウェルプレートに試料を容易に移送できるようにする。
【図面の簡単な説明】
【００１７】
【図１】図１は、本発明の実施形態に係る蛍光測定用マルチウェルプレートの斜視図およびその一部Ａの拡大図（１Ａ）と、当該斜視図のＢ−Ｂ線で切ったときのＢ−Ｂ線断面図およびその一部Ｃの拡大図（１Ｂ）と、をそれぞれ示す。
【図２】図２は、図１の蛍光測定用マルチウェルプレートの製造方法を縦断面視とフローチャートを用いて示す。
【図３】図３は、図１の蛍光測定用マルチウェルプレートの使用状況下の縦断面図を示す。
【図４】図４は、図１の蛍光測定用マルチウェルプレートを２組備えるマイクロウェルプレートセットを使用する状況であって、それら２枚の蛍光測定用マルチウェルプレートを重ねる前の状況の斜視図（４Ａ）および２枚の蛍光測定用マルチウェルプレートを重ねて、一方の蛍光測定用マルチウェルプレートのウェル内の試料Ｄを他方の蛍光測定用マルチウェルプレートのウェル内に移送する状況の断面図（４Ｂ）をそれぞれ示す。
【発明を実施するための形態】
【００１８】
以下、本発明の実施形態について図面を参照して説明する。なお、以下に説明する実施形態は、特許請求の範囲に係る発明を限定するものではなく、また、実施形態の中で説明されている諸要素およびその組み合わせの全てが本発明の解決手段に必須であるとは限らない。
【００１９】
１．蛍光測定用マルチウェルプレート
図１は、本発明の実施形態に係る蛍光測定用マルチウェルプレートの斜視図およびその一部Ａの拡大図（１Ａ）と、当該斜視図のＢ−Ｂ線で切ったときのＢ−Ｂ線断面図およびその一部Ｃの拡大図（１Ｂ）と、をそれぞれ示す。
【００２０】
本発明の実施形態に係る蛍光測定用マルチウェルプレート（以後、単に「マルチウェルプレート」と称する）１は、液体試料（試料の一形態）の蛍光測定に用いるための複数のウェル１５を備える。マルチウェルプレート１は、好適には、２つの部材から構成される。１つは、複数のウェル１５に対応する複数の貫通孔１６をプレートの厚さ方向に沿って備える多穴プレート１０である。もう１つは、多穴プレート１０における貫通孔１６の一方の開口面側を閉鎖する透明なフィルム２０である。一部Ａの拡大図に示すように、多穴プレート１０は、遮光性フィラー６をゴム状弾性体５中に分散して成る。フィルム２０と多穴プレート１０とは、透明な粘着層３０を介して固定されている。粘着層３０は、好ましくは、フィルム２０の片面（多穴プレート１０側の面）にあって、ウェル１５の底部に露出している。以下、多穴プレート１０、フィルム２０および粘着層３０の各詳細について説明する。
【００２１】
（１）多穴プレート
多穴プレート１０は、平面視に略長方形若しくは略正方形の薄いプレートである。多穴プレート１０は、その平面視略中央領域に、プレートの厚さ方向に貫通する貫通孔１６を縦３２×横３２の合計１０２４個備える。ウェル１５の直径については、特に制約されないが、例えば、好適には０．２〜１．０ｍｍの範囲、より好適には０．３〜０．８ｍｍの範囲、さらにより好適には０．４〜０．７ｍｍの範囲に設定可能である。貫通孔１６の長さ（多穴プレート１０の厚さに相当）は、特に制約されないが、例えば、好適には０．８〜５．０ｍｍの範囲、より好適には１．０〜３．０ｍｍの範囲、さらにより好適には１．５〜２．５ｍｍの範囲に設定可能である
【００２２】
多穴プレート１０は、１つの対角線上両角に１個ずつの凸部１１およびもう１本の対角線上の両角に１個ずつの貫通孔１２を備える。これら２つの凸部１１と２つの貫通孔１２は、２つの同形の多穴プレート１，１を重ね合わせる際に、一方の多穴プレート１の凸部１１を他方の多穴プレート１の貫通孔１２に挿入する方法にて面内平行方向に固定できるようにする部分である。
【００２３】
多穴プレート１０は、ゴム状弾性体５中に、遮光性フィラー６の一例である黒色フィラーを分散させた構造を有する。多穴プレート１０は、ゴム状弾性体５と、それより質量比率の低い遮光性フィラー６とを含む主にゴム状弾性体５から成る構成体である。遮光性フィラー６をゴム状弾性体５中に分散させるのは、隣り合うウェル１５間での漏光およびそれに伴う光の干渉を防止するためである。ゴム状弾性体５としては、例えば、シリコーンゴム、ウレタンゴム、イソプレンゴム、エチレンプロピレンゴム、天然ゴム、エチレンプロピレンジエンゴム、ニトリルゴム（ＮＢＲ）あるいはスチレンブタジエンゴム（ＳＢＲ）等の熱硬化性エラストマー；ウレタン系、エステル系、スチレン系、オレフィン系、ブタジエン系、フッ素系等の熱可塑性エラストマー、あるいはそれらの複合物等を例示できる。ゴム状弾性体５として好適な例は、シリコーンゴムである。遮光性フィラー６としては、ウェル１５間での透光を防止できれば、特に制約なく、例えば、炭素（グラファイト等）、銅―クロム系複合酸化物、銅−クロム−亜鉛系複合酸化物、硫化亜鉛、酸化チタン、酸化鉄等に代表される有色顔料を例示できる。ゴム状弾性体５に対する遮光性フィラー６の質量比率は、遮光性フィラー６の種類および大きさ（粒子であれば平均粒子径等、繊維であれば、繊維径および繊維長等）に応じて適宜変更可能である。例えば、遮光性フィラー６の質量比率は、１００質量部のゴム状弾性体５に対して、好ましくは０．０１〜２０質量部、より好ましくは０．１〜１０質量部、さらにより好ましくは０．２〜５質量部である。これら有色顔料に代えて、有機染料をゴム状弾性体５に混ぜても良い。この実施形態における多穴プレート１０は、シリコーンゴムに粒子状のグラファイトフィラーを分散させたプレートである。
【００２４】
（２）フィルム
フィルム２０は、多穴プレート１０において多数の貫通孔１５を集合させた領域を覆う部材である。ただし、フィルム２０は、多穴プレート１０の一方の面全体を覆う大きさでも良い。フィルム２０は、その厚さ方向に透光性に優れる。フィルム２０としては、シクロオレフィンポリマー（ＣＯＰ）、ポリメタクリル酸メチル（ＰＭＭＡ）、シリコーンゴム、ポリカーボネート（ＰＣ）、ポリエチレンテレフタレート（ＰＥＴ）、ポリプロピレン（ＰＰ）、ポリスチレン（ＰＳ）等を例示でき、その中でもより好ましくはＣＯＰやシリコーンゴムを挙げることができる。ＣＯＰやシリコーンゴムが特に好ましいのは、蛍光観察の際のノイズとなる自家蛍光が低く抑えられるからである。
【００２５】
フィルム２０の厚さについては、特に制約はないが、ウェル１５の底部に届く光量の損失を少なくする必要から、厚さが小さい方が望ましい。ただし、厚さが小さすぎて容易に穴が開くのは好ましくない。このようなバランスの観点から、フィルム２０の厚さの好適な範囲は、０．１〜１．０ｍｍ、より好適には０．２〜０．８ｍｍ、さらにより好適には０．３〜０．６ｍｍである。
【００２６】
（３）粘着層
粘着層３０は、多穴プレート１０とフィルム２０との間に介在して、両者１０，２０を固定する機能を有する層である。粘着層３０は、フィルム２０と同様に、透光性に優れる層である。この実施形態では、粘着層３０は、ウェル１５の一方の開口面に露出している。すなわち、粘着層３０は、多穴プレート１０とフィルム２０との間に存在するのみならず、ウェル１５の底部にも存在する。ただし、粘着層３０をウェル１５の底部に露出させないようにしても良い。
【００２７】
この実施形態では、粘着層３０は、好ましくは、透明なシリコーンゴム層である。その場合、粘着層３０の材料は、好ましくは、硬化性シリコーン組成物を主とする材料である。粘着層３０をシリコーンゴムにて構成すると、自家蛍光が抑えられ、また、多穴プレート１０をシリコーンゴムで構成した場合にＣＯＰあるいはシリコーンゴム製のフィルム２０との接着性にも優れる。粘着層３０の厚さについては、特に制約はないが、ウェル１５の内部に届く光量の損失を少なくする必要から、薄い方が望ましい。ただし、厚さが小さすぎて粘着性に劣るのは好ましくない。このようなバランスの観点から、粘着層３０の厚さの好適な範囲は、０．０５〜０．５ｍｍ、より好適には０．０８〜０．３０ｍｍ、さらにより好適には０．１０〜０．２５ｍｍである。
【００２８】
フィルム２０および粘着層３０は、各面内における厚さのバラツキが極めて低い。このため、同じ強度の励起光をあてた際に、ウェル１５に届く光の強度バラツキが小さい。それは、遮光性フィラー６を分散させたゴム状弾性体５の一方の面から窪むウェル１５を形成するのに比べて、ウェル１５の底部の厚さを、ウェル１５間にてより均一に形成できるからである。
【００２９】
２．蛍光測定用マルチウェルプレートの製造方法
図２は、図１の蛍光測定用マルチウェルプレートの製造方法を縦断面視とフローチャートを用いて示す。
【００３０】
マルチウェルプレート１は、多穴プレート作製工程（ステップＳ１００）と、粘着剤塗布工程（ステップＳ２００）と、固定工程（ステップＳ３００）とを経て、好適に製造可能である。以下、各工程の詳細を説明する。
【００３１】
（１）多穴プレート作製工程（ステップＳ１００）
多穴プレート作製工程は、遮光性フィラー６をゴム状弾性体５中に分散して成り、複数のウェル１５に対応する複数の貫通孔１６をプレートの厚さ方向に沿って備える多穴プレート１０を作製する工程である。より具体的には、遮光性フィラー６を硬化性ゴム組成物中に練り込んだ流動物を、多穴プレート１０の形態に成形可能な金型に供給し、金型を型締めして加熱・加圧成形を行う。この成形のより好適な方法は、射出成形法である。ただし、一次加硫化後の板状成形物を金型内に入れて二次加硫を行うプレス成型法を用いても良い。また、貫通孔１６は、成形時に形成する方が好ましいが、成形後に機械的な手段若しくはレーザー加工によって形成されても良い。
【００３２】
（２）粘着剤塗布工程（ステップＳ２００）
粘着剤塗布工程は、多穴プレート１０における貫通孔１６の一方の開口面側を閉鎖する透明なフィルム２０の片面に粘着剤３１を塗布する工程である。粘着剤３１は、硬化して粘着層３０を形成するものであり、好適には硬化性シリコーン組成物を主とする粘着剤である。この工程では、好ましくは、ロールコーター等を利用して、フィルム２０の片側全面に粘着剤３１をコーティングする工程である。なお、ロールコーターに代えて、粘着剤３１をフィルム２０に転写するための如何なる種類の基材を用いても良い。その場合、粘着剤３１を基材に塗布して、当該基材の粘着剤３１をフィルム２０へと転写すれば良い。これによって、粘着剤３１をフィルム２０の面内均一に載せることができる。
【００３３】
（３）固定工程（ステップＳ３００）
固定工程は、粘着剤３１の上から多穴プレート１０を圧接せしめて、フィルム２０と多穴プレート１０とを透明な粘着層３０を介して固定する工程である。硬化性シリコーン組成物を主とする粘着剤３１をフィルム２０の片面にコートしたものに多穴プレート１０を固定する方法を用いると、両者１０，２０を圧接するだけで十分な接着強度が得られるというメリットがある。また、接着剤の塗布のように、乾燥工程も必要なく、さらに被着材となる多穴プレート１０の表面改質の工程も不要である。したがって、簡素な工程で、管理項目も少なく、低コストにてマルチウェルプレート１の製造を実現できる。加えて、多穴プレート１０とフィルム２０の両素材が異なる場合でも、硬化性シリコーン組成物を主とする粘着剤３１を用いることにより容易に接着できるというメリットもある。
【００３４】
３．製造例
硬化性シリコーンゴム組成物（信越化学工業株式会社製の品番：ＫＥ−９６１Ｔ−Ｕ）１００質量部に、黒色顔料（信越化学工業株式会社製の品番：ＫＥ−ＣＯＬＯＲ−ＢＬ）０．５質量部および架橋剤（信越化学工業株式会社製の品番：Ｃ−８Ａ）０．５質量部を添加し、均一に混合して、加熱加圧成形を行い、多穴プレートを製造した。また、ＣＯＰ製のフィルム（日本ゼオン株式会社製のＺｅｏｎｏｒＦｉｌｍ、品番：ＺＦ１６）に、透明な硬化性シリコーンゴム粘着剤（信越化学工業株式会社製の品番：Ｘ−４０−３３４０）を塗布して、粘着剤付きのフィルムを形成した。硬化性シリコーンゴム粘着剤（信越化学工業株式会社製の品番：Ｘ−４０−３３４０）に代えて、同社製の品番：Ｘ−４０−３３３１−２を用いることもできる。硬化性シリコーンゴム粘着剤の塗布は、ロールコーターを用いて行った。次に、粘着剤付きのフィルム上に、成形後の多穴プレートを圧接して、マルチウェルプレートを完成した。
【００３５】
４．使用例
図３は、図１の蛍光測定用マルチウェルプレートの使用状況下の縦断面図を示す。
【００３６】
液体試料Ｄを蛍光測定に供するときには、マルチウェルプレート１の各ウェル１５に液体試料Ｄを入れ、液体試料Ｄを入れたウェル１５の底部からフィルム２０を透過させるように励起光Ｐを入光させる。励起光Ｐは、例えば、レーザー発振機４０を用いて出射可能である。また、例えば、ＥＬＩＳＡ法を適用し、特定のウェル１５内の液体試料Ｄにおいて抗原−抗体反応および酵素−基質反応が生じていれば、当該液体試料Ｄに励起光Ｐを当てた際に、酵素−基質反応により生成した蛍光物質の蛍光を計測することができる。試料の一例である液体試料Ｄに含まれる計測対象物としては、蛍光計測可能であれば特に制約は無いが、例えば、ペプチド又はタンパク質、あるいはそれらの情報をコードしているＤＮＡ又はＲＮＡ、細菌、真菌、酵母、単細胞浮遊液とした生体細胞、及びハイブリドーマ細胞からなる群から選ばれるいずれか１または２以上である。
【００３７】
５．マイクロウェルプレートセット
図４は、図１の蛍光測定用マルチウェルプレートを２組備えるマイクロウェルプレートセットを使用する状況であって、それら２枚の蛍光測定用マルチウェルプレートを重ねる前の状況の斜視図（４Ａ）および２枚の蛍光測定用マルチウェルプレートを重ねて、一方の蛍光測定用マルチウェルプレートのウェル内の液体試料Ｄを他方の蛍光測定用マルチウェルプレートのウェル内に移送する状況の断面図（４Ｂ）をそれぞれ示す。
【００３８】
２枚の同形のマルチウェルプレート１を重ねる場合、互いのウェル１５の開口部同士を向かい合わせ、一方のマルチウェルプレート１の凸部１１を他方のマルチウェルプレート１の貫通孔１２に挿入する。このような同形のマルチウェルプレート１を２つ備えたマイクロウェルプレートセット２を用いると、一方のマルチウェルプレート１から他方のマルチウェルプレート１への液体試料Ｄの移送が可能となる。例えば、一方のマルチウェルプレート１の各ウェル１５に入れられた液体試料Ｄを他方のマルチウェルプレート１の空のウェル１５に移送することが可能であると共に、一方のマルチウェルプレート１の各ウェル１５に入れられた液体試料Ｄを他方のマルチウェルプレート１の別の試料を入れたウェル１５に移送して混合若しくは反応させることも可能である。
【００３９】
図４（４Ｂ）に示す例は、一方のマルチウェルプレート１の各ウェル１５に入れられた液体試料Ｄを他方のマルチウェルプレート１の空のウェル１５に移送する例である。対向するウェル１５同士の開口部を合わせるように、２つのマルチウェルプレート１，１を重ね（ａ）、遠心等の手法によって一方のマルチウェルプレート１から他方のマルチウェルプレート１の方向に力を及ぼす。この結果、一方のマルチウェルプレート１の各ウェル１５に入れられた液体試料Ｄを他方のマルチウェルプレート１の空のウェル１５に一斉に移送することができる。
【００４０】
マルチウェルプレート１を構成する多穴プレート１０は、主にゴム状弾性体５から成るため、ゴム状弾性体５の有する柔軟性を持った構成体である。このため、２つのマルチウェルプレート１，１を互いのウェル１５の開口部同士を向かい合わせるように重ね合わせたときに、開口部の周辺領域が密着しやすい。このため、硬質樹脂等からなるマルチウェルプレートを用いて液体試料Ｄを移送する従来法に比べて、隔離シートを用いることなく、容易かつ安全に液体試料Ｄの移送が可能である。
【００４１】
マルチウェルプレートセット２は、上記のように、マルチウェルプレート１，１を２つ有し、互いのウェル１５の開口部を向かい合わせることのできるものである。かかるマイクロウェルプレートセット２は、例えば、次のような使用を可能とする。１つのマイクロウェルプレート１中に所望のプロモーター配列等を有するＤＮＡを入れて増幅させる。増幅終了後、このマイクロウェルプレート１をオリジナルとしてレプリカを上記と同様にして作成する。オリジナルの各ウェル１５に、インビトロ翻訳を行うためのバッファーを入れ、翻訳物であるペプチドを得ることができる。このオリジナル中に、ペプチドを結合させることができるタンパク質、例えば、ストレプトアビジンを固定した磁性粒子と、ビオチンに固定した標的タンパク質とを入れ、標的物質と、これに結合するコード配列を含むＤＮＡが増幅されたか否かを、それらの結合によって観察することができる。結合していた場合には、例えば、さらに、蛍光標識を結合させ、標的タンパク質を含む複合体を酵素で切断し、上清を集めて蛍光を測定することができる。
【００４２】
また、蛍光を発しているウェル１５の内容物を回収し、マイクロ温度勾配ゲル電気泳動を行うことによって、ゲノムプロファイルのクラスタリングや、シーケンシングを行うこともできる。このときに、受容側のウェル１５中には、種々の増幅されたペプチドが含まれている。このため、各ウェル１５中に、例えば、標的タンパク質と結合したビオチンとストレプトアビジンを結合させた磁性粒子を入れることによって、標的タンパク質と結合するペプチドを選択することができる。
【００４３】
６．その他の実施形態
以上、本発明の好適な実施形態について説明してきたが、本発明は、上記実施形態に限定されることなく、種々の変形を施した形態で実施可能である。
【００４４】
例えば、多穴プレート１０を構成する主材として、シリコーンゴム以外のゴム状弾性体５を用いても良い。さらに、フィルム２０として、シクロオレフィンポリマー以外の材料から主に構成されるフィルムを用いても良い。また、粘着層３０の材料として、硬化性シリコーン組成物を主とする材料以外を用いても良い。
【産業上の利用可能性】
【００４５】
本発明は、ウェル内の試料に対する蛍光分析に用いることができる。
【符号の説明】
【００４６】
１・・・蛍光測定用マルチウェルプレート、２・・・マルチウェルプレートセット、５・・・ゴム状弾性体、６・・・遮光性フィラー、１０・・・多穴プレート、１５・・・ウェル、１６・・・貫通孔、２０・・・フィルム、３０・・・粘着層、３１・・・粘着剤、Ｄ・・・液体試料（試料の一形態）。
【図１】
2018141693.tif 000003
【図２】
2018141693.tif 000004
【図３】
2018141693.tif 000005
【図４】
2018141693.tif 000006